(57)【要約】【課題】本発明は、汎用的に使用することができる眼鏡の調整構造を提供することを目的とする。【解決手段】本発明に係る眼鏡の調整構造は、フレームと、２つの回転軸と、２つのトーションバネと、２つのモダンと、を備える。前記フレームの両側には、連接部がそれぞれ連接されており、各々のモダンは、一つの前記回転軸を介して前記連接部に回転可能に枢着され、前記連接部の自由端には挟持部が設けられ、前記モダンの前記連接部に枢着される一端には枢着部が設けられ、前記トーションバネは、前記枢着部を囲むように設けられ、且つ該トーションバネの一端は、前記挟持部に固定され、該トーションバネの他端は、前記枢着部に固定される。【選択図】図２
2013061643.tif 000002
【特許請求の範囲】
【請求項１】
フレームと、２つの回転軸と、２つのトーションバネと、２つのモダンと、を備える眼鏡の調整構造であって、
前記フレームの両側には、連接部がそれぞれ連接されており、各々の前記モダンは、一つの前記回転軸を介して前記連接部に回転可能に枢着され、前記連接部の自由端には挟持部が設けられ、前記モダンの前記連接部に枢着される一端には枢着部が設けられ、
前記トーションバネは、前記枢着部を囲むように設けられ、且つ該トーションバネの一端は、前記挟持部に固定され、該トーションバネの他端は、前記枢着部に固定されることを特徴とする眼鏡の調整構造。
【請求項２】
前記フレームは、フロントカバー及び前記フロントカバーに対向して設けられたバックカバーによって構成され、
前記挟持部は、前記バックカバーの一端に一体成形され且つ上下に平行に設けられる２つの挟持片を備え、２つの前記挟持片の間には、収容空間が形成され、各々の前記挟持片の中央部には、前記回転軸を貫通させるための第一貫通孔がそれぞれ設けられていることを特徴とする請求項１に記載の眼鏡の調整構造。
【請求項３】
前記トーションバネは、前記枢着部の周りを囲むように装着され且つ２つの取付端部を備え、一方の取付端部は、前記モダンにおける前記枢着部の側辺に設けられたスロット内に挿入され、他方の取付端部は、下方に位置する前記挟持片に設けられたスロット内に挿入されることを特徴とする請求項２に記載の眼鏡の調整構造。
【請求項４】
前記フロントカバーの前記挟持部に対応する箇所には、上方の前記挟持片の上面から下方の前記挟持片の底面まで延在するように、前記挟持部の周囲の一部を取り囲む保護カバーが設けられ、前記保護カバーの上方及び下方には、前記第一貫通孔と同軸上に位置する第二貫通孔がそれぞれ設けられていることを特徴とする請求項２または３に記載の眼鏡の調整構造。
【請求項５】
前記モダンの前記枢着部の上下両端には、前記第一貫通孔と前記第二貫通孔とに互いに連通する軸孔がそれぞれ設けられ、該枢着部が前記連接部の挟持部の収容空間内にセットされた後、前記回転軸は、２つの前記第二貫通孔、２つの前記第一貫通孔及び２つの前記軸孔に挿通して装着されることを特徴とする請求項４に記載の眼鏡の調整構造。
【発明の詳細な説明】
【技術分野】
【０００１】
本発明は、眼鏡の調整構造に関し、特に３Ｄ映像を観賞することができる３Ｄ眼鏡の調整構造に関するものである。
【背景技術】
【０００２】
現在、３Ｄ映画が流行しているが、３Ｄ映画を鑑賞する際は、通常、３Ｄ立体視覚効果を持つ専用の眼鏡（以下、３Ｄ眼鏡とする）をかけなければならない。
【０００３】
しかし、現在映画館において使用されている３Ｄ眼鏡の２つのモダン間の幅は固定されており、使用者自ら調整することはできない。そのため、映画館では、通常、大人及び子供用に、規格が異なる２種類の３Ｄ眼鏡を使用している。しかし、メーカーは、異なる規格及びサイズの３Ｄ眼鏡を製造しなければならないため、多くの生産コストを要する。また、老若男女、各々頭のサイズは違うため、単一規格の眼鏡では、サイズが合わず、頭にフィットしない。従って、モダン間の幅が調整不可能な３Ｄ眼鏡では、掛けた際に不安定であり、観賞するときに見にくいなどの影響を与えることがある。
【発明の概要】
【発明が解決しようとする課題】
【０００４】
そこで、本発明は、上記の問題点を考慮してなされたものであり、汎用的に使用することができる眼鏡の調整構造を提供することを目的とする。
【課題を解決するための手段】
【０００５】
上記の課題を解決するために、本発明に係る眼鏡の調整構造は、フレームと、２つの回転軸と、２つのトーションバネと、２つのモダンと、を備える。前記フレームの両側には、連接部がそれぞれ連接されており、各々のモダンは、一つの前記回転軸を介して前記連接部に回転可能に枢着され、前記連接部の自由端には挟持部が設けられ、前記モダンの前記連接部に枢着される一端には枢着部が設けられ、前記トーションバネは、前記枢着部を囲むように設けられ、且つ該トーションバネの一端は、前記挟持部に固定され、該トーションバネの他端は、前記枢着部に固定される。
【発明の効果】
【０００６】
従来の技術と比較して、本発明に係る眼鏡の調整構造は、前記トーションバネを設けることによって、前記眼鏡の２つの前記モダンの間に適度な挟持力を生じさせ、且つ前記モダンの材質自体にも弾性力が備わっているので、ユーザーの頭のサイズが異なっていても、前記眼鏡を安定して使用することができる。また、前記眼鏡の調整構造も簡単であるため、組み立て操作が容易で、製造コストも削減できる。
【図面の簡単な説明】
【０００７】
【図１】本発明の調整構造を備える眼鏡が使用されていない際の状態を示す図である。
【図２】図１に示す眼鏡の調整構造の拡大図である。
【図３】図１に示す眼鏡の調整構造の連接部とモダンとを組み立てた状態を示す断面図である。
【図４】本発明の調整構造を備える眼鏡が使用されている状態を示す図である。
【発明を実施するための形態】
【０００８】
図１及び図２に示したように、本発明の実施形態に係る眼鏡１００は、フレーム１２と、２つの回転軸１４と、２つのトーションバネ１６と、２つのモダン１８と、を備える。
【０００９】
前記フレーム１２は、フロントカバー１２２及び該フロントカバー１２２に対向して設けられたバックカバー１２４によって構成され、前記フロントカバー１２２と前記バックカバー１２４との間には、レンズが装着されている。電池、３Ｄ映像制御回路、赤外線受信器等を備える３Ｄ映像発生装置（図示せず）は、前記フレーム１２の互いに反対側に位置する２つの側辺に設けられる。また、前記フレーム１２の２つの側辺の端部には、連接部１２６がそれぞれ設置されている。好ましくは、前記３Ｄ映像発生装置は、前記フレーム１２の両側の前記連接部１２６に設けられる。該連接部１２６は、前記フレーム１２と一体成形され、且つ前記回転軸１４を介して、前記モダン１８を枢着する。従って、前記モダン１８は、前記連接部１２６に対して回転可能である。前記連接部１２６の内側は、前記バックカバー１２４の一部であり、前記連接部１２６の外側は、前記フロントカバー１２２の一部である。
【００１０】
また、前記連接部１２６の自由端には、前記バックカバー１２４の一端に一体形成された挟持部１２４０が設けられている。該挟持部１２４０は、上下に平行に設けられた２つの挟持片１２４２を備え、該２つの挟持片１２４２間には、収容空間１２４４が形成されている。各々の前記挟持片１２４２の中央部には、前記回転軸１４を貫通させるための第一貫通孔１２４６がそれぞれ設けられている。また、前記フロントカバー１２２の、前記挟持部１２４０に対応する箇所には、保護カバー１２２２が形成されている。前記保護カバー１２２２は、上方の前記挟持片１２４２の上面から下方の前記挟持片１２４２の底面まで延在して、前記挟持部１２４０の外側の一部を包むように設けられている。前記保護カバー１２２２の上端及び下端には、前記第一貫通孔１２４６と同軸上に位置する第二貫通孔１２２４がそれぞれ設けられている。
【００１１】
前記モダン１８の前記連接部１２６と連接される一端には、枢着部１８２が設けられている。該枢着部１８２は、中空のロッドであり、且つその上下両端には同軸に位置する軸孔１８４が設けられている。しかも、該枢着部１８２の中空部分と該枢着部１８２の上下両端に位置する軸孔１８４とは、連通する。前記枢着部１８２が前記挟持部１２４０の前記収容空間１２４４内に取り付けられた後、前記枢着部１８２の上下の軸孔１８４は、２つの前記第一貫通孔１２４６と２つの前記第二貫通孔１２２４とに互いに連通する。
【００１２】
前記トーションバネ１６は、コイル状部と、該コイル状部の上端及び下端にそれぞれ位置する取付端部１６２、１６４と、を備える。これら取付端部１６２、１６４の延在方向は、互いにほぼ直交している。
【００１３】
図３に示すように、前記モダン１８を前記連接部１２６に組み立てる場合、先ず、前記トーションバネ１６のコイル状部が前記枢着部１８２の周りを囲むように設置する。そして、該トーションバネ１６の取付端部１６２を、前記モダン１８における前記枢着部１８２の横方向の側辺において横方向に沿って設けられたスロット１８６内に挿入する。次に、トーションバネ１６が装着された前記モダン１８の一端を前記収容空間１２４４内にセットすると共に、該トーションバネ１６の取付端部１６４を下方の前記挟持片１２４２に設けられたスロット１２４８内に挿入する。次に、前記第一貫通孔１２４６、前記第二貫通孔１２２４及び前記軸孔１８４を同一直線上に位置させるように位置合わせしてから、前記回転軸１４で上方の前記第二貫通孔１２２４、上方の前記第一貫通孔１２４６、上方の前記軸孔１８４、下方の前記軸孔１８４、下方の前記第一貫通孔１２４６及び下方の前記第二貫通孔１２２４を順次に挿通する。これにより、前記トーションバネ１６全体は、前記モダン１８と前記連接部１２６との接続部位に安定して装着され、前記モダン１８は、前記フレーム１２に回転可能に枢着される。
【００１４】
上記した内容から分かるように、本発明の眼鏡１００の調整構造１０は、前記連接部１２６の前記挟持部１２４０と、前記回転軸１４と、前記トーションバネ１６と、前記モダン１８の前記枢着部１８２及び前記軸孔１８４と、により構成される。
【００１５】
図１は、前記眼鏡１００が使用されていない状態を示し、２つの前記モダン１８は、前記フレーム１２の内側へそれぞれ折り曲げられて交差し、収容されている。このようにモダン１８がフレーム１２の内側へ折り曲げられて収納されているときに、トーションバネ１６には、負荷がかけられていない。
【００１６】
前記眼鏡１００を使用する際、２つの前記モダン１８を、収容されている状態から、前記フレーム１２の外側へ、且つ前記連接部１２６とほぼ同一直線上に位置するように回転させればよい。この際、前記トーションバネ１６は捩れて弾性変形して、前記モダン１８を内側へ弾性復帰させるための弾性力を蓄える。
【００１７】
前記モダン１８への外力が除去される（つまり、前記フレーム１２が鼻に掛けられる）と、前記トーションバネ１６は弾性力を解放して、前記モダン１８を内側へ適度に移動させる。次いで、２つの前記モダン１８を、前記フレーム１２の内側から外側に向かって同時に動かすと、各々の前記モダン１８は、前記トーションバネ１６の弾性力によって、前記モダン１８における互いに反対の方向に向かって、それぞれ適度に移動して、図４に示す矢印の方向に沿う挟持力を生じる。ここで、前記モダン１８の移動量、つまり前記「挟持力」の大小は、前記トーションバネ１６の弾性変形量によって異なる。なお、前記トーションバネ１６の弾性変形量は、前記モダン１８を動かす角度及び力によって決まる。
【００１８】
つまり、ユーザーは、前記眼鏡１００の前記フレーム１２を、顔の鼻筋の部分に掛けることによって、２つの前記モダン１８間の挟持力は、ユーザーの頭の両側の、耳より上方に適度な圧力をかける。これにより、前記眼鏡１００を安定して掛けることができる。しかも、前記モダン１８自体の材質にも弾性力が備わっているので、ユーザーの頭に十分に適合する。言い換えれば、頭のサイズが違っても、前記フレーム１２を鼻筋に掛けるだけで、２つの前記モダン１８間の挟持力によって、ユーザーは前記眼鏡１００を安定して掛けることができる。
【００１９】
また、ユーザーが、前記眼鏡１００を取りはずした際は、前記調整構造１０は、前記「挟持力」によって、２つの前記モダン１８が、前記フレーム１２の内側で自動的に交差するように収納される。
【００２０】
本発明の調整構造１０は、前記トーションバネ１６を設けることによって、前記眼鏡１００の２つの前記モダン１８の間に適度な挟持力を生じさせ、且つ前記モダン１８の材質自体にも弾性力が備わっているので、ユーザーの頭のサイズが異なっていても、前記眼鏡１００を安定して使用することができ、また、構造も簡単であるため、組み立て操作が容易で、製造コストも削減できる。
【符号の説明】
【００２１】
１０            調整構造
１２            フレーム
１４            回転軸
１６            トーションバネ
１８            モダン
１００          眼鏡
１２２          フロントカバー
１２４          バックカバー
１２６          連接部
１６２          取付端部
１６４          取付端部
１８２          枢着部
１８４          軸孔
１８６          スロット
１２２２        保護カバー
１２２４        第二貫通孔
１２４０        挟持部
１２４２        挟持片
１２４４        収容空間
１２４６        第一貫通孔
１２４８        スロット
【図１】
2013061643.tif 000003
【図２】
2013061643.tif 000004
【図３】
2013061643.tif 000005
【図４】
2013061643.tif 000006